(57)【特許請求の範囲】
【請求項１】
複数の空気調和装置（５）を管理対象として消費電力量の調整要求に基づいた管理を行う管理装置（３、２０３、３０３）であって、
前記管理対象の複数の前記空気調和装置についての過去の運用情報（４４ｃ）を取得する情報取得部（３１）と、
前記過去の運用情報（４４ｃ）に基づいて、前記管理対象の複数の前記空気調和装置の所定期間毎における合計の出力レベルの基準である基準出力レベルを求める基準出力レベル把握部（３１）と、
前記過去の運用情報に基づいて、前記管理対象の複数の前記空気調和装置の前記所定期間毎における合計の出力レベルの分布に対して所定割合以上が集中している出力レベルの範囲であって前記基準出力レベルを含む範囲を出力レベルの変動幅として求める出力レベル変動幅把握部（３１）と、
前記出力レベルの変動幅に基づいて、前記管理対象の複数の前記空気調和装置の消費電力量の変動幅の予測値を求める消費電力変動幅予測部（３１）と、
を備えた複数の空気調和装置の管理装置。
【請求項２】
前記出力レベルの変動幅を、気象予報と、前記空気調和装置の運転内容スケジュール情報（４４ｂ、３４ｂ）と、前記空気調和装置の保全情報と、の少なくともいずれかに基づいて補正する出力レベル変動幅補正部（３１）をさらに備えた、
請求項１に記載の複数の空気調和装置の管理装置。
【請求項３】
前記管理対象の複数の前記空気調和装置のうちの過去の前記所定期間毎の運転台数を示す台数履歴情報（３４ｉ）に基づいて、前記管理対象の複数の前記空気調和装置のうちの運転台数の予測値を求める運転台数予測部（３１）をさらに備え、
前記消費電力変動幅予測部は、前記出力レベルの変動幅と前記運転台数の予測値とに基づいて、前記管理対象の複数の前記空気調和装置の消費電力量の変動幅の予測値を求める、
請求項１または２に記載の複数の空気調和装置の管理装置。
【請求項４】
前記運転台数の予測値を、前記空気調和装置の利用スケジュール情報（４４ｂ、３４ｂ）に基づいて補正する運転台数補正部をさらに備えた、
請求項３に記載の複数の空気調和装置の管理装置。
【請求項５】
前記過去の運用情報（４４ｃ）は、過去の前記所定期間毎における前記管理対象の複数の前記空気調和装置の定格消費電力に対する出力割合の情報を含む、
請求項１から４のいずれか１項に記載の複数の空気調和装置の管理装置。
【発明の詳細な説明】
【技術分野】
【０００１】
本発明は、複数の空気調和装置の管理装置に関する。
【背景技術】
【０００２】
電力を消費する装置の稼動が集中する等の理由で消費電力量が一時的に上昇し、電力の供給が逼迫した状況になると、電力の供給量が不足する状況になることを避けるために、電力供給側の主体から、消費電力量の調整を求めるデマンド制御の要求（消費電力量の調整要求）が行われることが提案されている。
【０００３】
そして、このような消費電力量の調整要求に応じた需要家に対しては、金銭等のインセンティブが付与されることで、このような制度の運用実行性を高めている。
【０００４】
ここで、電力供給側の主体が求める消費電力量の調整要求量は膨大であり、一人の需要家の調整量では対応しきれないため、より多くの需要家を対象として管理する管理装置が用いられている。
【０００５】
管理装置は、電力供給側の主体からの消費電力量の調整要求を受け付けると、例えば、自己が管理している複数の需要家のうち要求を受け入れることができる需要家およびその削減可能な消費電力量を特定し、当該需要家に当該消費電力量の削減調整を実行してもらうことで、電力供給側の主体からの消費電力量の調整要求に応じる。なお、消費電力量の調整に協力した当該需要家には、インセンティブが付与される。
【０００６】
ここで、管理装置は、電力供給側の主体からの消費電力量の調整要求に応じることができる量をより正確に把握するために、自己が管理している複数の需要家による消費電力量の予測を正確に行うことが求められる。
【０００７】
ここで、例えば特許文献１（国際公開２０１３−０９９３２３号公報）に記載の例では、気象予測情報を用いて消費電力量を予測する場合に、過去の気象予測情報とその際の実際の気象実績とを比較して誤差を求め、当該誤差に応じた変動幅を考慮した気象予測を利用することで、消費電力量の正確な予測を行うことが提案されている。
【発明の概要】
【発明が解決しようとする課題】
【０００８】
ここで、消費電力量の予測の正確性を高めるために、特許文献１に記載の気象予測情報以外の情報を用いることについては、これまでなんら検討されていない。特に、ＯＮ・ＯＦＦだけでなく空調負荷の変動に応じた運転が行われる空気調和装置を監視対象とする管理装置では、消費電力量の予測が特に困難になりがちである。
【０００９】
本発明の課題は、上述した点に鑑みてなされたものであり、消費電力量の予測の精度を高め、電力供給側の主体からの消費電力量の調整要求に安定的に応じることが可能な複数の空気調和装置の管理装置を提供することにある。
【課題を解決するための手段】
【００１０】
第１観点に係る複数の空気調和装置の管理装置は、複数の空気調和装置を管理対象として消費電力量の調整要求に基づいた管理を行う管理装置であって、情報取得部と、基準出力レベル把握部と、出力レベル変動幅把握部と、消費電力量変動幅予測部と、を備えている。情報取得部は、管理対象の複数の空気調和装置についての過去の運用情報を取得する。基準出力レベル把握部は、過去の運用情報に基づいて、管理対象の複数の空気調和装置の所定期間毎における合計の出力レベルの基準である基準出力レベルを求める。出力レベル変動幅把握部は、過去の運用情報に基づいて、管理対象の複数の空気調和装置の所定期間毎における合計の出力レベルの分布に対して所定割合以上が集中している出力レベルの範囲であって基準出力レベルを含む範囲を、出力レベルの変動幅として求める。消費電力変動幅予測部は、出力レベルの変動幅に基づいて、管理対象の複数の空気調和装置の消費電力量の変動幅の予測値を求める。
【００１１】
ここで、出力レベルとは、特に限定されないが、大きいほど消費電力が大きくなり小さいほど消費電力が小さくなる値であり、例えば、定格消費電力に対する出力割合や定格能力に対する出力割合等が含まれる。
【００１２】
なお、複数の空気調和装置の管理装置自体が管理対象の複数の空気調和装置についての過去の運用情報を記憶した記憶部を有しており、情報取得部は、当該記憶部から管理対象の複数の空気調和装置についての過去の運用情報を読み出すことで取得してもよい。また、複数の空気調和装置の管理装置は、管理対象の複数の空気調和装置についての過去の運用情報を記憶した記憶部を有しておらず、管理対象の複数の空気調和装置についての過去の運用情報は別の装置である記憶装置（例えば、ネットワークにおいて通信可能に接続されているクラウド情報端末等）において記憶されており、情報取得部は、複数の空気調和装置の管理装置と通信可能に接続された記憶装置から管理対象の複数の空気調和装置についての過去の運用情報を取得してもよい。
【００１３】
また、「基準出力レベル」は、特に限定されず、例えば、管理対象の複数の空気調和装置の所定期間毎における合計の出力レベルの平均値であってもよいし、中央値であってもよいし、最頻値であってもよい。
【００１４】
また、「出力レベルの変動幅」は、特に限定されず、例えば、管理対象の複数の空気調和装置の所定期間毎における合計（各サンプル）の出力レベルの平均値のプラスマイナス所定％の範囲として変動幅を定めてもよいし、当該平均値を含んで全体の所定％（全サンプルの所定％）が含まれる範囲として変動幅を定めてもよいし、管理対象の複数の空気調和装置の所定期間毎における合計（各サンプル）の出力レベルの最頻値のプラスマイナス所定％の範囲として変動幅を定めてもよいし、当該最頻値を含んで全体の所定％（全サンプルの所定％）が含まれる範囲として変動幅を定めてもよい。
【００１５】
この複数の空気調和装置の管理装置では、消費電力量の変動幅の予測の正確性を高め、消費電力の調整要求に対して応答可能な電力量の精度を高めることが可能になる。これにより、複数の空気調和装置の管理装置は、消費電力の調整要求に対する精度の高い応答可能な電力量を用いることで、電力供給側の主体からの消費電力量の調整要求に安定的に応じることが可能になる。
【００１６】
第２観点に係る複数の空気調和装置の管理装置は、第１観点に係る複数の空気調和装置の管理装置であって、出力レベル変動幅補正部をさらに備えている。出力レベル変動幅補正部は、出力レベルの変動幅を、気象予報と、空気調和装置の運転内容スケジュール情報と、空気調和装置の保全情報と、の少なくともいずれかに基づいて補正する。
【００１７】
ここで、空気調和装置の運転内容スケジュール情報としては、特に限定されるものではなく、例えば、通常運転制御モードと省エネ運転制御モードの制御モードを備える空気調和装置が管理対象として存在する場合に、通常運転制御モードではなく省エネ運転制御モードが行われる予定日時を示す情報が含まれる。また、設定温度のスケジュールが予め定められている空気調和装置が管理対象として存在する場合に、当該設定温度の予定を示す情報が含まれる。
【００１８】
なお、複数の空気調和装置の管理装置は、気象予報と、空気調和装置の運転内容スケジュール情報と、空気調和装置の保全情報とを入手する場合には、管理対象の各空気調和装置から通信によって直接入手してもよいし、ネットワークにおいて通信可能に接続された他の装置から通信によって入手するようにしてもよい。
【００１９】
この複数の空気調和装置の管理装置では、出力レベルの変動幅を、出力レベル変動幅補正部が、気象予報と、空気調和装置の運転内容スケジュール情報と、空気調和装置の保全情報と、の少なくともいずれかに基づいて補正する。そして、消費電力変動幅予測部は、補正された出力レベルの変動幅に基づいて、管理対象の複数の空気調和装置の消費電力量の変動幅の予測値を求める。このため、より正確な出力レベルの変動幅を利用して、より正確な消費電力量の変動幅の予測値を求めることが可能になる。
【００２０】
第３観点に係る複数の空気調和装置の管理装置は、第１観点または第２観点に係る複数の空気調和装置の管理装置であって、運転台数予測部をさらに備えている。運転台数予測部は、管理対象の複数の空気調和装置のうちの過去の所定期間毎の運転台数を示す台数履歴情報に基づいて、管理対象の複数の空気調和装置のうちの運転台数の予測値を求める。消費電力変動幅予測部は、出力レベルの変動幅と運転台数の予測値とに基づいて、管理対象の複数の空気調和装置の消費電力量の変動幅の予測値を求める。
【００２１】
ここで、台数履歴情報に基づいて求められる運転台数の予測値は、特に限定されず、例えば、過去の所定期間毎の運転台数の平均値であってもよいし、中央値であってもよいし、最頻値であってもよい。
【００２２】
特に限定されないが、例えば、消費電力変動幅予測部は、運転台数の予測値を加味することで、運転台数の予測値が比較的大きい場合には消費電力量の変動幅の予測値が大きくなるように、運転台数の予測値が比較的小さい場合には消費電力量の変動幅の予測値が小さくなるように、消費電力量の変動幅の予測値を求めることができる。
【００２３】
この複数の空気調和装置の管理装置では、消費電力変動幅予測部は、管理対象の複数の空気調和装置の消費電力量の変動幅の予測値を求める際に、出力レベルの変動幅だけでなく、運転台数の予測値をさらに反映させている。このため、運転台数が上昇する見込みや運転台数が減少する見込みを加味することができ、消費電力量の変動幅の予測値について、より実際の運転状況に近づく可能性を高めることが可能になる。
【００２４】
第４観点に係る複数の空気調和装置の管理装置は、第３観点に係る複数の空気調和装置の管理装置であって、運転台数補正部をさらに備えている。運転台数補正部は、運転台数の予測値を、空気調和装置の利用スケジュール情報に基づいて補正する。
【００２５】
ここで、空気調和装置の利用スケジュール情報としては、特に限定されるものではなく、空気調和装置の運転停止のスケジュールや、空気調和装置の利用者の予定情報等が含まれる。
【００２６】
なお、複数の空気調和装置の管理装置は、空気調和装置の利用スケジュール情報を入手する場合には、管理対象の各空気調和装置から通信によって直接入手してもよいし、ネットワークにおいて通信可能に接続された他の装置から通信によって入手するようにしてもよい。
【００２７】
この複数の空気調和装置の管理装置では、運転台数の予測値を、運転台数補正部が、空気調和装置の利用スケジュール情報に基づいて補正する。そして、消費電力変動幅予測部は、出力レベルの変動幅と補正された運転台数の予測値とに基づいて、管理対象の複数の空気調和装置の消費電力量の変動幅の予測値を求める。このため、より正確な運転台数の予測値を利用して、より正確な消費電力量の変動幅の予測値を求めることが可能になる。
【００２８】
第５観点に係る複数の空気調和装置の管理装置は、第１観点から第４観点のいずれかに係る複数の空気調和装置の管理装置であって、過去の運用情報は、過去の所定期間毎における管理対象の複数の空気調和装置の定格消費電力に対する出力割合の情報を含む。
【００２９】
例えば、所定期間が１日（２４時間）である場合に、定格消費電力に対する出力割合の値を過去１０日分の１０個の値として入手し、その合計を１０で割ることで一日の出力割合の平均値を算出し、当該平均値を含んで全サンプル（１０個）の所定％（例えば６０％の場合には６個のサンプル）が含まれる範囲として出力レベルの変動幅を定めてもよい。
【００３０】
この複数の空気調和装置の管理装置では、定格消費電力に対する出力割合の情報を用いて、消費電力量の変動幅の予測の正確性を高めることが可能になる。
【発明の効果】
【００３１】
第１観点に係る複数の空気調和装置の管理装置では、消費電力の調整要求に対する精度の高い応答可能な電力量を用いることで、電力供給側の主体からの消費電力量の調整要求に安定的に応じることが可能になる。
【００３２】
第２観点に係る複数の空気調和装置の管理装置では、より正確な出力レベルの変動幅を利用して、より正確な消費電力量の変動幅の予測値を求めることが可能になる。
【００３３】
第３観点に係る複数の空気調和装置の管理装置では、消費電力量の変動幅の予測値について、より実際の運転状況に近づく可能性を高めることが可能になる。
【００３４】
第４観点に係る複数の空気調和装置の管理装置では、より正確な運転台数の予測値を利用して、より正確な消費電力量の変動幅の予測値を求めることが可能になる。
【００３５】
第５観点に係る複数の空気調和装置の管理装置では、定格消費電力に対する出力割合の情報を用いて、消費電力量の変動幅の予測の正確性を高めることが可能になる。
【図面の簡単な説明】
【００３６】
【図１】本発明の一実施形態に係るアグリゲータを含む情報処理システム全体の概略構成図である。
【図２】空気調和装置の概略構成図である。
【図３】需要家Ａにおけるコントローラ、空気調和装置、および、スマートメータを含むブロック図である。
【図４】アグリゲータのブロック図である。
【図５】各需要家のＤＲ応答予定の例を示す図である。
【図６】各需要家のＤＲ応答予定から得られる消費電力の削減予定量の例を示す図である。
【図７】アグリゲータの処理のフローチャートである。
【図８】基準出力レベルと出力レベルの変動幅を示す図である。
【図９】基準出力レベルと出力レベルの変動幅の補正を示す図である。
【図１０】基準運転台数と運転台数の変動幅を示す図である。
【図１１】基準運転台数と運転台数の変動幅の補正を示す図である。
【図１２】消費電力量の変動幅を示す図である。
【図１３】変形例（Ａ）に係るアグリゲータを含む情報処理システム全体の概略構成図である。
【図１４】変形例（Ｂ）に係るアグリゲータを含む情報処理システム全体の概略構成図である。
【発明を実施するための形態】
【００３７】
以下、一実施形態を例に挙げて説明するが、本発明はこれに限定されるものではない。
【００３８】
（１）情報処理システム全体の概略構成
図１に、情報処理システム全体の概略構成図を示す。
【００３９】
電力会社１は、発電した電力を各需要家に対して供給する会社である。
【００４０】
アグリゲータ３は、複数の需要家Ａ〜Ｅがそれぞれ有しているコントローラ４との間で通信可能に接続されており、複数の需要家Ａ〜Ｅが有している各空気調和装置５の運用管理を行う。アグリゲータ３は、電力会社１に対しても通信可能に接続されており、電力逼迫時において電力会社１からの消費電力量の調整要求の指示を受ける。なお、ここでは省略されているが、電力会社１からの消費電力量の調整要求の指示を受けるアグリゲータや大規模物件が他にも存在しており、本実施形態のアグリゲータ３はこれらよりも信頼性高く調整要求に応じることで、電力会社１からの消費電力量の調整要求の処理を優先的に行うことができることを目指す。
【００４１】
各需要家Ａ〜Ｅは、アグリゲータ３によって統括管理されている対象であり、それぞれコントローラ４、空気調和装置５、および、スマートメータ６を個別に有している。需要家は、通常はより多く無数に存在している。各需要家Ａ〜Ｅが有する各コントローラ４は、いずれも対応する需要家が有している空気調和装置５とスマートメータ６と接続されており、アグリゲータ３とも接続されている。各需要家Ａ〜Ｅがそれぞれ有している空気調和装置５は、電力会社１から供給される電力を消費することで駆動し、対象空間の空気を調和させる。
【００４２】
気象情報提供装置９は、アグリゲータ３と通信可能に接続されており、各地の気象情報をそれぞれアグリゲータに対して通信により提供する。具体的には、本実施形態の気象情報提供装置９は、地域毎に、時間帯毎の予想気温の情報を提供する。
【００４３】
以上の構成において、電力を消費する空気調和装置等の機器の稼動が一時的に集中する等の理由で消費電力量が一時的に上昇し、電力会社１から供給される電力量が逼迫した状況になると、電力の供給量が不足する状況になることを避けるために、電力会社１は、消費電力量の調整を求めるデマンド制御の要求（消費電力量の調整要求）を発信する。
【００４４】
ここで、アグリゲータ３は、単数ではなく、複数の需要家Ａ〜Ｅを管理対象に含めているため、単数の需要家を管理する場合と比べて、消費電力量の調整可能な幅をより大きくすることが可能になっている。そして、アグリゲータ３は、電力会社１が発信した消費電力量の調整要求を受信すると、例えば、消費電力量の削減要求であった場合には、管理対象の需要家Ａ〜Ｅのうち削減の協力が可能な需要家において消費電力量の削減を実行してもらう。ここで、協力が得られた需要家に対しては、電気料金を低廉化させることや金銭を付与すること等によりインセンティブが付与される。
【００４５】
なお、アグリゲータ３が管理している各需要家Ａ〜Ｅは、電力会社１が発信した消費電力量の調整要求に対する応答義務は無く、任意の自由参加型であり、インセンティブの付与を求めるものが参加することになる。また、各需要家は、一度参加を申請していた時間帯における消費電力量の調整要求についてキャンセルを行うことも可能であり、その場合には所定のペナルティ（電気料金増額等）を受けることになる。
【００４６】
ここで、アグリゲータ３は、電力会社１から消費電力量の調整要求を受信した場合にできるだけ自己が管理する需要家による調整可能範囲内で調整要求の処理を完了できるように、予め各需要家から消費電力量の調整要求に応じるか否か（応じる場合にはどの程度応じるか）の予定情報を各需要家から報告してもらうことで入手する。ただし、各需要家は、事前に提出した予定通りに空気調和装置５を運転させるとは限らず、電力会社１からの消費電力量の調整要求が発信された時であっても、需要家の予定の変更や天候の変化によって、予定通りの消費電力量の調整を実行できないおそれがある。このため、アグリゲータ３としては、予め各需要家から入手した予定情報だけでなく、将来的に生じる可能性がある変動要因の情報を考慮して、アグリゲータ３として信頼性高く調整可能な消費電力量（申告削減量）を求め、予め電力会社１に対して申告しておくことが望まれる。すなわち、アグリゲータ３としては、予め各需要家から報告された予定情報等により求まる調整可能量だけではなく、当該調整可能量から将来生じうる変動要因分を差し引いて得られる消費電力量（申告削減量）を、電力会社１に対して申告するための情報として特定しておくことになる。
【００４７】
ただし、将来的に生じる可能性がある変動要因分をあまりにも大きく考慮し過ぎてしまうと、アグリゲータ３が電力会社１に申告することができる申告削減量が小さいものになってしまい、結果としてアグリゲータ３によって管理されている各需要家が、消費電力量の調整要求に応じることで得られるインセンティブの量が小さくなってしまう。
【００４８】
以上より、アグリゲータ３としては、将来生じうる変動要因分をできるだけ精度良く求めて（不必要に変動要因を大きくすることを避けて）、予め各需要家から報告された予定情報等により求まる調整可能量から差し引かれる分量を小さく抑えた申告削減量を特定することで、できるだけ自己が管理する需要家に多くのインセンティブを得てもらうことが望まれる。
【００４９】
なお、ここで、インセンティブの付与については、特に限定されるものではなく、例えば、契約内容に応じて、電力会社１から各需要家に対して付与されてもよいし、電力会社１からアグリゲータ３に対して付与されたインセンティブをアグリゲータ３が自己が管理する各需要家に対して付与するようにしてもよい。
【００５０】
なお、以下では、理解の容易のため、各需要家が１台の運転容量（馬力）の等しい空気調和装置５を有している場合であって、消費電力量の調整要求や各種スケジュールが１時間毎に設定されている場合を例に挙げて説明するが、本願発明はこれに限られるものではない。
【００５１】
（２）空気調和装置５の構成
図２に、各需要家Ａ〜Ｅが有している空気調和装置５の概略構成図を示す。
【００５２】
また、図３に、需要家Ａにおけるコントローラ４、空気調和装置５、および、スマートメータ６のブロック図を示す。
【００５３】
空気調和装置５は、冷媒回路２０と、各種温度センサ２８ａ、２８ｂ、２９を備えている。
【００５４】
冷媒回路２０は、周波数制御が可能な圧縮機２１、接続状態を切り換えて冷房運転と暖房運転を切り換えさせることが可能な四路切換弁２２、室外熱交換器２３、風量調節が可能な室外ファン２４、弁開度の調節が可能な膨張弁２５、室内熱交換器２６、風量調節が可能な室内ファン２７を有しており、これらが順に接続されて構成されている。これらのうち、圧縮機２１、四路切換弁２２、室外ファン２４、膨張弁２５、室内ファン２７は、コントローラ４と接続されており、コントローラ４の制御部４１によって各種制御が行われる。具体的には、圧縮機２１は、制御部４１の指示により駆動周波数が制御されることで、冷媒を圧縮する程度を調節することができる。また、四路切換弁２２は、制御部４１の指示により接続状態を切り換えて冷房運転と暖房運転を切り換えることができる。室外ファン２４および室内ファン２７は、それぞれ制御部４１の指示により風量を調節することができる。膨張弁２５は、制御部４１の指示により冷媒が通過する弁の開度を調節し、冷媒の減圧程度を調節することができる。
【００５５】
冷媒回路２０は、四路切換弁２２を有して構成されているため、冷房運転と暖房運転を切り換えて実行することが可能である。
【００５６】
冷房運転時では、圧縮機２１から吐出された冷媒が四路切換弁２２を介して、室外ファン２４から送られてくる外気と冷媒との間で熱交換が行われることで冷媒の凝縮器として機能する室外熱交換器２３に送られる。室外熱交換器２３で凝縮された冷媒は、膨張弁２５において減圧された後、室内ファン２７から送られてくる空調対象空間の空気と冷媒との間で熱交換が行われることで冷媒の蒸発器として機能する室内熱交換器２６に送られる。室内熱交換器２６で蒸発した冷媒は、四路切換弁２２を介して圧縮機２１の吸入側に送られる。このような動作により、空調対象空間の冷房が行われる。
【００５７】
暖房運転時では、圧縮機２１から吐出された冷媒が四路切換弁２２を介して、室内ファン２７から送られてくる空調対象空間の空気と冷媒との間で熱交換が行われることで冷媒の凝縮器として機能する室内熱交換器２６に送られる。室内熱交換器２６で凝縮された冷媒は、膨張弁２５において減圧された後、室外ファン２４から送られてくる外気と冷媒との間で熱交換が行われることで冷媒の蒸発器として機能する室外熱交換器２３に送られる。室外熱交換器２３で蒸発した冷媒は、四路切換弁２２を介して圧縮機２１の吸入側に送られる。このような動作により、空調対象空間の暖房が行われる。
【００５８】
なお、各種温度センサとしては、室外温度センサ２８ａ、室外熱交温度センサ２８ｂ、室内温度センサ２９が挙げられる。室外温度センサ２８ａは、室外ファン２４による空気流れ方向における室外熱交換器２３の上流側に設けられており、室外気温を検知する。室外熱交温度センサ２８ｂは、室外熱交換器２３の中間位置に対して設けられており、室外熱交換器２３の中間位置を通過する冷媒の温度を検知する。室内温度センサ２９は、室内ファン２７による空気流れ方向における室内熱交換器２６の上流側に設けられており、空調対象空間である室内の気温を検知する。これらの各種温度センサは、いずれも、コントローラ４と接続されており、コントローラ４の制御部４１が各検知値を把握することが可能になっている。制御部４１は、各種温度センサにおける検知値に基づいて、圧縮機２１、室外ファン２４、膨張弁２５、室内ファン２７の各種制御を行い、四路切換弁２２の接続状態の切り換えを行う。
【００５９】
例えば、冷房運転時において、コントローラ４の入力部４２を介して受け付けられる設定温度に室内温度センサ２９が検知する温度が満たない場合には、満たない程度に応じて圧縮機２１の駆動レベルが増大し、より多くの電力を消費して空調対象空間を迅速に冷やすことになる。
【００６０】
なお、空気調和装置５は、制御モードとして、通常運転制御モードと省エネ運転制御モードとを備えている。この省エネ運転制御モードは、特に限定されないが、空調対象空間を設定温度にする際に、通常運転制御モードと比べてより長い時間をかける制御であり、単位時間当たりの消費電力量が小さい制御モードである。
【００６１】
（３）スマートメータ６の構成
スマートメータ６は、空気調和装置５において消費した消費電力量を計測する。
【００６２】
スマートメータ６は、コントローラ４に接続されており、計測した消費電力量の情報をコントローラ４に対して送信する。
【００６３】
（４）コントローラ４の構成
図３に例示した需要家Ａが有するコントローラ４等のブロック図に示すように、コントローラ４は、制御部４１、入力部４２、出力部４３、記憶部４４等を備えている。なお、需要家Ｂ〜Ｅが有するコントローラ４についても同様である。
【００６４】
制御部４１は、電力会社１からの消費電力量の調整要求に応じる際の需要家（ここでは需要家Ａ）の空気調和装置５の消費電力量を調整するための各制御（詳細は後述する）や、空気調和装置５からの運転に関する情報やスマートメータ６からの情報を記憶部４４に格納させる処理や、入力部４２から受け付けた情報の処理や、出力部４３に対する出力処理等を行う。特に限定されないが、例えば、制御部４１は、ＣＰＵによって構成することができる。
【００６５】
出力部４３は、特に限定されないが、例えば、液晶表示パネル等であってよい。出力部４３には、制御部４１によって処理された情報が表示される。
【００６６】
入力部４２は、コントローラ４に対してユーザ等が情報を入力するためのものであり、特に限定されないが、例えば、出力部４３の液晶表示パネルをタッチパネル化したものが挙げられる。入力部４２は、ユーザからの後述する各種情報の入力を受け付ける。
【００６７】
記憶部４４は、特に限定されないが、例えば、ＲＯＭ、ＲＡＭ、ハードディスク等によって構成することができる。この記憶部４４には、ＤＲ予定情報４４ａ、スケジュール情報４４ｂ、出力レベル履歴情報４４ｃ、運転履歴情報４４ｄ、地域情報４４ｅ、設定温度４４ｆ、ＤＲ制御用情報４４ｇ等の各種情報や、制御部４１に実行させるための各種プログラム等が格納される。
【００６８】
ＤＲ予定情報４４ａは、電力会社１からの消費電力量の調整要求があった場合に応じる日時情報および応じる場合の当該応じる時間帯における削減予定の消費電力量を示す情報が含まれている。当該ＤＲ予定情報４４ａは、入力部４２を介してユーザ（例えば需要家）から入力を受け付けた場合に、格納または更新される。ここでは、例えば、各ユーザは、将来の１週間分のＤＲ予定情報４４ａが常時格納されているように、入力部４２から入力して、アグリゲータ３に予定を報告することができる。このＤＲ予定情報４４ａは、例えば、図５における需要家１人分のデータに相当する。なお、本件においてＤＲは、デマンドレスポンスの略である。
【００６９】
スケジュール情報４４ｂは、ユーザによる空気調和装置５の利用予定を示す情報であり、例えば、空気調和装置５を運転させる予定日時や運転させない予定日時の情報等が含まれる。また、スケジュール情報４４ｂには、通常運転制御モードではなく省エネ運転制御モードが行われる予定日時を示す情報が含まれる。さらに、スケジュール情報４４ｂには、設定温度の予定を示す情報が含まれる。当該スケジュール情報４４ｂは、入力部４２を介してユーザから入力を受け付けた場合に、格納または更新される。
【００７０】
出力レベル履歴情報４４ｃは、空気調和装置５について予め定められている定格消費電力に対する出力割合（出力レベル）についての過去の空気調和装置５の情報である。本実施形態においては、過去の定格消費電力に対する出力割合の１時間毎の平均情報が格納されている。定格消費電力に対する出力割合（％）は、スマートメータ６によって測定された値から制御部４１が把握できる。具体的には、例えば、１時間の間定格消費電力で運転された場合を１００％とし、１時間の間運転がされなかった場合を０％とし、１時間のうち３０分だけ定格消費電力で運転が行われて残りの３０分は停止していた場合を５０％として、出力割合（出力レベル）が特定される。
【００７１】
運転履歴情報４４ｄは、各種空気調和装置５における情報が含まれる。具体的には、空気調和装置５における消費電力量の履歴（スマートメータ６による測定値の履歴）を示す情報であり、空気調和装置５の消費電力量を日時毎に示す情報が含まれる。また、空気調和装置５の室外気温の情報も含まれる。
【００７２】
地域情報４４ｅは、当該コントローラ４と直接接続されている空気調和装置５が所在する地域を示す情報であり、入力部４２を介してユーザからの入力を受け付けることで格納される。例えば、当該空気調和装置５の住所を示す情報であってもよい。
【００７３】
設定温度４４ｆは、空気調和装置５を運転する場合の目標となる設定温度の情報であり、入力部４２を介してユーザから入力を受け付けた場合に、格納または更新される。
【００７４】
ＤＲ制御用情報４４ｇは、電力会社１からの消費電力量の調整要求があり、当該調整要求に応じる場合に行うこととなる空気調和装置５の制御内容を示す情報である。例えば、冷房運転時に特定の消費電力量の削減を行う場合に設定温度を当該削減する消費電力量に応じて段階的に上げていく制御や、暖房運転時に特定の消費電力量の削減を行う場合に設定温度を当該削減する消費電力量に応じて段階的に下げていく制御や、設定温度の変更では特定の消費電力量の削減ができない場合に運転を停止する制御等を行うための情報が格納されている。これにより、アグリゲータ３からの消費電力の削減指示を受けた需要家のコントローラ４の制御部４１は、ＤＲ予定情報４４ａにおいて予め定めていた削減予定の消費電力量の削減が実現できるまで段階的に設定温度を変更する処理を行い、設定温度の変更だけでは予め定めていた削減予定の消費電力量の削減を実現できない場合には運転を停止させる処理を行うこととなる。
【００７５】
（５）アグリゲータ３の構成
図４に、アグリゲータ３のブロック図を示す。
【００７６】
アグリゲータ３は、制御部３１、入力部３２、出力部３３、記憶部３４等を備えている。
【００７７】
制御部３１は、電力会社１からの消費電力量の調整要求に応じることができるように管理対象である需要家Ａ〜Ｅの消費電力量を管理調整するための各種処理（詳細は後述する）や、各需要家Ａ〜Ｅにおける各空気調和装置５に関する状況を収集する処理や、当該収集した情報に基づいた情報の作成処理や、当該作成した情報の記憶部３４への格納処理や、入力部３２から受け付けた情報の処理や、出力部３３に対する出力処理等を行う。特に限定されないが、例えば、制御部３１は、ＣＰＵによって構成することができる。
【００７８】
出力部３３は、特に限定されないが、例えば、液晶表示パネル等であってよい。出力部３３には、制御部３１によって処理された情報が表示される。
【００７９】
入力部３２は、アグリゲータ３に対してアグリゲータ３の管理者が情報を入力するためのものであり、特に限定されないが、例えば、出力部３３の液晶表示パネルをタッチパネル化したものが挙げられる。入力部３２は、アグリゲータ３の管理者からの各種情報の入力を受け付ける。
【００８０】
記憶部３４は、特に限定されないが、例えば、ＲＯＭ、ＲＡＭ、ハードディスク等によって構成することができる。この記憶部３４には、各需要家ＤＲ予定情報３４ａ、各需要家スケジュール情報３４ｂ、各需要家出力レベル履歴情報３４ｃ、各需要家運転履歴情報３４ｄ、各需要家地域情報３４ｅ、各需要家ＤＲ成績情報３４ｆ、ＤＲ予定まとめ情報３４ｇ、出力レベルまとめ情報３４ｈ、運転台数情報３４ｉ等の各種情報や、制御部３１に実行させるための各種プログラム等が格納される。
【００８１】
この記憶部３４には、以下に述べる情報のうち、各需要家によって更新されるものについては、随時制御部３１が通信を行って取得し、新しい情報に書き換えられ、これらの書き換えられた情報に基づいた情報作成や処理が随時行われる。
【００８２】
各需要家ＤＲ予定情報３４ａは、各需要家Ａ〜Ｅの全員のＤＲ予定情報４４ａをまとめた情報である。この各需要家ＤＲ予定情報３４ａは、制御部３１が、各需要家Ａ〜Ｅの全員のＤＲ予定情報４４ａを通信によって定期的に入手して集めることで作成され、記憶部３４に格納されている。具体的には、各需要家ＤＲ予定情報３４ａは、図５に示すように、各需要家の削減予定の消費電力量を示す情報である。
【００８３】
各需要家スケジュール情報３４ｂは、各需要家Ａ〜Ｅの全員のスケジュール情報４４ｂをまとめた情報である。この各需要家スケジュール情報３４ｂは、制御部３１が、各需要家Ａ〜Ｅの全員のスケジュール情報４４ｂを通信によって定期的に入手して集めることで作成され、記憶部３４に格納されている。
【００８４】
各需要家出力レベル履歴情報３４ｃは、各需要家Ａ〜Ｅの全員の出力レベル履歴情報４４ｃをまとめた情報である。この各需要家出力レベル履歴情報３４ｃは、制御部３１が、各需要家Ａ〜Ｅの全員の出力レベル履歴情報４４ｃを通信によって定期的に入手して集めることで作成され、記憶部３４に格納されている。
【００８５】
各需要家運転履歴情報３４ｄは、各需要家Ａ〜Ｅの全員の運転履歴情報４４ｄをまとめた情報である。この各需要家運転履歴情報３４ｄは、制御部３１が、各需要家Ａ〜Ｅの全員の運転履歴情報４４ｄを通信によって定期的に入手して集めることで作成され、記憶部３４に格納されている。
【００８６】
各需要家地域情報３４ｅは、各需要家Ａ〜Ｅの全員の地域情報４４ｅをまとめた情報である。この各需要家地域情報３４ｅは、制御部３１が、各需要家Ａ〜Ｅの全員の地域情報４４ｅを通信によって入手して集めることで作成され、記憶部３４に格納されている。
【００８７】
各需要家ＤＲ成績情報３４ｆは、各需要家Ａ〜Ｅにおける、過去の消費電力量の調整要求への応答成績を示す情報である。具体的には、各需要家について、自己が報告していたＤＲ予定情報４４ａに示されていた時間帯に実際に消費電力量の調整要求が電力会社１から発信された場合に、予定通りの消費電力量の削減ができたか否かを示す情報である。特に限定されないが、例えば、予定通りに消費電力量の削減ができた時間の割合としてもよい（例えば、１時間の消費電力量の調整要求が５回行われた場合において、そのうちの３回分については予定通りの削減ができた場合には、６０％とすることができる。）。
【００８８】
ＤＲ予定まとめ情報３４ｇは、制御部３１が、各需要家ＤＲ予定情報３４ａに基づいて作成する情報である。具体的には、図６に示すように、各需要家ＤＲ予定情報３４ａから把握される各需要家から報告された削減予定の消費電力量の合計量（削減予定量）を日時毎に求めて得られる情報である。これにより、アグリゲータ３が管理する各需要家の報告に基づく将来の消費電力の削減予定量を把握することが可能になっている。
【００８９】
出力レベルまとめ情報３４ｈは、制御部３１が、各需要家出力レベル履歴情報３４ｃに基づいて作成する情報である。具体的には、出力レベルまとめ情報３４ｈは、各需要家Ａ〜Ｅの空気調和装置５の過去の出力レベルの情報うち出力レベルがあった情報（出力レベルが０以外の情報：運転があった場合の情報）のみを抽出し、当該出力レベルと対応する日時の情報とを対応付けてまとめた情報である。ここでの情報の抽出は、制御部３１が行う。これにより、過去の各需要家Ａ〜Ｅの空気調和装置５について、運転が行われた場合の出力レベルを日時の情報と対応付けて把握することが可能になる。
【００９０】
運転台数情報３４ｉは、制御部３１が、各需要家運転履歴情報３４ｄに基づいて作成する情報である。具体的には、過去のある日時（本実施形態では１時間の間）におけるアグリゲータ３が管理している需要家の空気調和装置５の運転台数の合計を、日時毎に示す情報である。ここで、過去のある時間帯において空気調和装置５が駆動していたか否かは、各需要家運転履歴情報３４ｄに基づいて制御部３１が判断する。特に限定されないが、本実施形態では、制御部３１は、当該１時間の間に空気調和装置５が駆動した時間があった場合（消費電力がスマートメータ６によって当該１時間の間に電力の消費が測定された場合）に、運転が行われたと判断し、１台の運転があったとしてカウントする。なお、当該時間帯の消費電力量が基準より多い場合に運転があったとしてカウントするようにしてもよい。
【００９１】
（６）消費電力量の調整要求に関するアグリゲータ３の処理
アグリゲータ３の制御部３１は、将来的に電力会社１からの消費電力量の調整要求が発信されるよりも前に（事前に）、アグリゲータ３として応じることのできる消費電力の「申告削減量」を将来の日時毎（例えば１週間分）に特定する処理を行う。そして、特定された消費電力の「申告削減量」の情報を、電力会社１に対して予め申告する（電力会社１に向けて通信により情報を送信する。）。
【００９２】
図７に、アグリゲータ３の処理の流れを示す。
【００９３】
ステップＳ１０では、アグリゲータ３の制御部３１は、将来の日時毎について、記憶部３４に格納されている出力レベルまとめ情報３４ｈを用いて、出力レベルの平均（基準出力レベルＯＳ）と分布範囲（出力レベルの変動幅ＯＬ〜ＯＨ）を求める。
【００９４】
ここで、制御部３１は、出力レベルまとめ情報３４ｈのうち求めようとする将来の日時からさかのぼる過去所定期間（本実施形態では１０日前までの分）の情報であって求めようとする将来の日時の時間帯に対応する時間帯の情報のみを用いて、基準出力レベルＯＳと出力レベルの変動幅ＯＬ〜ＯＨを求め、この処理を将来の日時毎に行う。これにより、アグリゲータ３が管理する各需要家Ａ〜Ｅの全体の空気調和装置５の最近の出力動向を把握することができる。
【００９５】
具体的には、基準出力レベルＯＳは、将来の日時（例えば、３月２０日の１２時〜１３時）からさかのぼる過去所定期間の間の情報のうち当該将来の日時に対応する時間帯についての各需要家Ａ〜Ｅの空気調和装置５の全ての出力レベルの情報（各需要家Ａ〜Ｅの空気調和装置５の３月１０日〜１９日の情報（存在している分）であって各日の１２時〜１３時の情報）の合計を、その情報の数で除することで得られる。この処理を、将来の日時毎に行う（例えば、３月２０日の１３時〜１４時や、１４時〜１５時についても行う）。
【００９６】
また、出力レベルの変動幅ＯＬ〜ＯＨは、具体的には、将来の日時（例えば、３月２０日の１２時〜１３時）からさかのぼる過去所定期間の間の情報のうち当該将来の日時に対応する時間帯についての各需要家Ａ〜Ｅの空気調和装置５の全ての出力レベルの情報（各需要家Ａ〜Ｅの空気調和装置５の３月１０日〜１９日の情報（存在している分）であって各日の１２時〜１３時の情報）について、図８に示すように、出力レベル別の発生頻度の分布における、基準出力レベルＯＳに対する所定の幅として求められる。
【００９７】
ここで、出力レベルの変動幅ＯＬ〜ＯＨの上限ＯＨは、基準出力レベルＯＳを超えている複数の情報を対象として、少ない方から順に、過去所定期間の間の情報のうち当該将来の日時に対応する時間帯についての全情報の数の所定割合数分（本実施形態は、例えば３割分）をカウントしていった場合に最後にカウントされる情報の出力レベルを出力レベルの変動幅の上限ＯＨとして求める。
【００９８】
また、出力レベルの変動幅ＯＬ〜ＯＨの下限ＯＬは、基準出力レベルＯＳを下回る複数の情報を対象として、多い方から順に、過去所定期間の間の情報のうち当該将来の日時に対応する時間帯についての全情報数の所定割合数分（本実施形態は、例えば３割分）をカウントしていった場合に最後にカウントされる情報の出力レベルを出力レベルの変動幅の下限ＯＬとして求める。
【００９９】
ここで、出力レベルまとめ情報３４ｈに含まれる情報であって、特定の日時における特定の需要家の特定の空気調和装置５の出力レベルの履歴情報を、１つの情報としてカウントするものとする。この処理を、将来の日時毎に行う（例えば、３月２０日の１３時〜１４時や、１４時〜１５時についても行う）。
【０１００】
ステップＳ１１では、アグリゲータ３の制御部３１は、ステップＳ１０で求めた基準出力レベルＯＳおよび出力レベルの変動幅ＯＬ〜ＯＨを気象情報に基づいて補正する。
【０１０１】
具体的には、制御部３１は、将来の日時毎について、アグリゲータ３が管理している需要家Ａ〜Ｅの空気調和装置５それぞれの地域毎の予想気温の情報を、気象情報提供装置９との通信により入手し、地域毎の当該予想気温の温度を合計して当該予想気温の情報の数で除することで、平均予想気温を求める。そして、各需要家運転履歴情報３４ｄから過去所定期間の間の対応する時間帯の平均過去気温（室外気温）を求める。
【０１０２】
そして、平均予想気温と平均過去気温とを比べることで、空調負荷が増大するか減少するかを所定の判断手法で判断し、その判断結果に応じて、図９に示すように、ステップＳ１０で求めた基準出力レベルＯＳおよび出力レベルの変動幅ＯＬ〜ＯＨを補正する。例えば、冷房が行われている場合には、平均予想気温が平均過去気温より高ければ高いほど、空調負荷が増大するとして、基準出力レベルＯＳおよび出力レベルの変動幅ＯＬ〜ＯＨを増大する補正を行う。
【０１０３】
また、制御部３１は、記憶部３４に格納されている各需要家スケジュール情報３４ｂに基づいて、省エネ運転制御モードで運転させる予定の空気調和装置５の台数を把握し、当該台数割合が高ければ高いほど、当該将来の日時について、基準出力レベルＯＳおよび出力レベルの変動幅ＯＬ〜ＯＨを減少させる補正を行う。
【０１０４】
さらに、制御部３１は、記憶部３４に格納されている各需要家スケジュール情報３４ｂに基づいて、空気調和装置５の設定温度の平均値を把握し、当該平均値が冷房時には低ければ低いほど暖房時には高ければ高いほど、当該将来の日時について、基準出力レベルＯＳおよび出力レベルの変動幅ＯＬ〜ＯＨを増大させる補正を行う。
【０１０５】
ステップＳ１２では、アグリゲータ３の制御部３１は、将来の日時毎について、記憶部３４に格納されている運転台数情報３４ｉを用いて、運転台数の平均（基準運転台数ＮＳ）と分布範囲（運転台数の変動幅ＮＬ〜ＮＨ）を求める。
【０１０６】
ここで、制御部３１は、運転台数情報３４ｉのうち求めようとする将来の日時からさかのぼる過去所定期間（本実施形態では１０日前までの分）の情報であって求めようとする将来の日時の時間帯に対応する時間帯の情報のみを用いて、基準運転台数ＮＳと運転台数の変動幅ＮＬ〜ＮＨを求め、この処理を将来の日時毎に行う。これにより、アグリゲータ３が管理する各需要家Ａ〜Ｅの空気調和装置５の最近の運転台数の動向を把握することができる。
【０１０７】
具体的には、基準運転台数ＮＳは、将来の日時（例えば、３月２０日の１２時〜１３時）からさかのぼる過去所定期間の間の当該将来の日時に対応する時間帯についての各日の各需要家Ａ〜Ｅの空気調和装置５の運転台数の情報（各需要家Ａ〜Ｅの空気調和装置５の３月１０日〜１９日の情報（存在している分）であって各日の１２時〜１３時の運転台数の情報）の合計（運転台数の合計）を、その各日の日数で除することで得られる。この処理を、将来の日時毎に行う（例えば、３月２０日の１３時〜１４時や、１４時〜１５時についても行う）。
【０１０８】
また、運転台数の変動幅ＮＬ〜ＮＨは、具体的には、将来の日時（例えば、３月２０日の１２時〜１３時）からさかのぼる過去所定期間の間の当該将来の日時に対応する時間帯についての各日の各需要家Ａ〜Ｅの空気調和装置５の運転台数の情報（各需要家Ａ〜Ｅの空気調和装置５の３月１０日〜１９日の情報（存在している分）であって各日の１２時〜１３時の運転台数の情報）について、図１０に示すように、運転台数別の発生頻度の分布における、基準運転台数ＮＳに対する所定の幅として求められる。
【０１０９】
ここで、運転台数の変動幅ＮＬ〜ＮＨの上限ＮＨは、基準運転台数ＮＳを超えている複数の情報を対象として、少ない方から順に、過去所定期間の間の情報のうち当該将来の日時に対応する時間帯についての全情報の数の所定割合数分（本実施形態は、例えば３割分）をカウントしていった場合に最後にカウントされる情報の運転台数を運転台数の変動幅の上限ＮＨとして求める。
【０１１０】
また、運転台数の変動幅ＮＬ〜ＮＨの下限ＯＬは、基準運転台数ＮＳを下回る複数の情報を対象として、多い方から順に、過去所定期間の間の情報のうち当該将来の日時に対応する時間帯についての全情報数の所定割合数分（本実施形態は、例えば３割分）をカウントしていった場合に最後にカウントされる情報の運転台数を運転台数の変動幅の下限ＮＬとして求める。
【０１１１】
この処理を、将来の日時毎に行う（例えば、３月２０日の１３時〜１４時や、１４時〜１５時についても行う）。
【０１１２】
ステップＳ１３では、アグリゲータ３の制御部３１は、ステップＳ１２で求めた基準運転台数ＮＳおよび運転台数の変動幅ＮＬ〜ＮＨを補正する。
【０１１３】
具体的には、制御部３１は、将来の日時毎について、各需要家スケジュール情報３４ｂから対応する将来の日時における各需要家の空気調和装置５の運転予定の情報を取得して、過去の運転の履歴情報と比較し、その判断結果に応じて、図１１に示すように、ステップＳ１２で求めた基準運転台数ＮＳおよび運転台数の変動幅ＮＬ〜ＮＨを補正する。
【０１１４】
具体的には、制御部３１は、各需要家スケジュール情報３４ｂからある将来の日時についての運転予定の有無を読み出し、アグリゲータ３が管理している各需要家Ａ〜Ｅの空気調和装置５のうちの運転予定の空気調和装置５の台数である予定運転台数を求める。そして、制御部３１は、さらに各需要家運転履歴情報３４ｄを読み出して、過去所定期間における当該将来の日時に対応する時間帯の運転台数の平均である平均過去運転台数を求める。なお、制御部３１は、各需要家運転履歴情報３４ｄの情報において、出力レベルがあった情報（出力レベルが０以外の情報）を運転があった情報として取り扱う。ここで、制御部３１は、予定運転台数と平均過去運転台数との比較結果に応じて、基準運転台数ＮＳおよび運転台数の変動幅ＮＬ〜ＮＨを補正する。具体的には、例えば、予定運転台数の方が平均過去運転台数よりも多ければ多いほど、基準運転台数ＮＳおよび運転台数の変動幅ＮＬ〜ＮＨを増大する補正を行う。
【０１１５】
ステップＳ１４では、アグリゲータ３の制御部３１は、ステップＳ１１で得られた基準出力レベルＯＳ（補正後のもの）および出力レベルの変動幅ＯＬ〜ＯＨ（補正後のもの）と、ステップＳ１３で得られた基準運転台数ＮＳ（補正後のもの）および運転台数の変動幅ＮＬ〜ＮＨ（補正後のもの）に基づいて、図１２のグラフに示す「消費電力量の変動幅」を求める。
【０１１６】
まず、制御部３１は、基準出力レベルＯＳと基準運転台数ＮＳとを所定の計算式に代入することで基準点ＳＳを求める（例えば、これらの値を掛け合わせたものに所定の係数を乗じる等により求める）。そして、消費電力量０と運転台数０からなる点と当該基準点ＳＳとの両方を通過する基準ラインを求める。また、出力レベルの変動幅の上限ＯＨと基準運転台数ＮＳとを上記所定の計算式に代入することで上限点ＳＨを求め、同様に消費電力量０と運転台数０からなる点と当該上限点ＳＨとの両方を通過する上限ラインを求める。さらに、出力レベルの変動幅の下限ＯＬと基準運転台数ＮＳとを上記所定の計算式に代入することで下限点ＳＬを求め、同様に消費電力量０と運転台数０からなる点と当該下限点ＳＬとの両方を通過する下限ラインを求める。そして、ここで求めた上限ラインと運転台数の変動幅の上限ＮＨとが重なる点（点ＨＨ）における消費電力量を消費電力量の上限ＰＨとして求める。また、下限ラインと運転台数の変動幅の下限ＮＬとが重なる点（点ＬＬ）における消費電力量を消費電力量の下限ＰＬとして求める。そして、消費電力量の上限ＰＨから消費電力量の下限ＰＬを差し引いて得られる値を「消費電力量の変動幅」として求める。
【０１１７】
以上のようにして、制御部３１は、消費電力量の変動幅を、将来の日時毎に求める。
【０１１８】
ステップＳ１５では、アグリゲータ３の制御部３１は、記憶部３４からＤＲ予定まとめ情報３４ｇを読み出して、将来の日時毎の削減予定量（各需要家から報告された削減予定の消費電力量の合計量）を把握する。そして、制御部３１は、この削減予定量からステップＳ１４において求めた消費電力量の変動幅を差し引くことで、電力会社１に対して申告するための「申告削減量」を求める。
【０１１９】
なお、アグリゲータ３の制御部３１は、この「申告削減量」を通信により電力会社１に送信する。これにより、電力会社１は、消費電力量の調整要求を発信する際に、申告された「申告削減量」の量に基づいて、アグリゲータ３や他のアグリゲータの中から発信先のアグリゲータを選択することになる。
【０１２０】
ステップＳ１６では、アグリゲータ３の制御部３１は、電力会社１からの消費電力量の調整要求が将来あった場合における削減負担の割り振り予定を定める。具体的には、制御部３１は、記憶部３４から各需要家ＤＲ予定情報３４ａと各需要家ＤＲ成績情報３４ｆを読み出して、将来の日時毎に、消費電力量の調整要求に応じる需要家を特定しつつ、特定された需要家の中から成績の良い順番で削減負担の割り振り予定を定めていく（消費電力量の調整要求を満たすことができる順番まで割り振ることとなる。）。これにより、電力会社１からの消費電力量の調整要求があった場合に、できるだけ予定通りに需要家に削減等を行わせて、アグリゲータ３としての信頼性を確保することができる。
【０１２１】
ステップＳ１７では、アグリゲータ３の制御部３１は、電力会社１からの消費電力量の調整要求の発信を受信したか否かを判断する。ここで、受信した場合にはステップＳ１９に移行し、受信していない場合にはステップＳ１８に移行する。
【０１２２】
ステップＳ１８では、アグリゲータ３の制御部３１は、先に求めた申告削減量や特定していた割り振りの情報が古くなっているか否か（所定時間が経過しているか否か）を判断する。特に限定されないが、例えば、ステップＳ１０の処理を行った時点から１時間を経過しているか否かを判断する。ここで、所定時間を経過していると判断した場合には、新たな情報に更新させるためにステップＳ１０に戻り、ステップＳ１０〜Ｓ１６までの処理を繰り返す。
【０１２３】
ステップＳ１９では、アグリゲータ３の制御部３１は、ステップＳ１６で定めていた割り振りに従って、各需要家のコントローラ４に対して消費電力の削減を行うように指示を送る。
【０１２４】
なお、これにより消費電力の削減指示を受け付けた各需要家のコントローラ４の制御部４１は、コントローラ４の記憶部４４に格納されているＤＲ制御用情報４４ｇに従って空気調和装置５の制御を行うことで消費電力量の削減を行う。
【０１２５】
ステップＳ２０では、アグリゲータ３の制御部３１は、消費電力量の調整要求の指示を送信した各需要家のコントローラ４との間で通信を行い、予定通りの消費電力量の削減が予定通り行われたか否かの情報を受信する。
【０１２６】
ステップＳ２１では、アグリゲータ３の制御部３１は、予定通りに削減が行われていた需要家に対してはインセンティブを付与するとともに、各需要家ＤＲ成績情報３４ｆにおいて該当する需要家の成績を上昇させる更新処理を行う。また、予定通りに削減を行うことができなかった需要家に対してはペナルティを課するとともに、各需要家ＤＲ成績情報３４ｆにおいて該当する需要家の成績を下降させる更新処理を行う。なお、アグリゲータ３が電力会社１からインセンティブ等を受けている場合には、各需要家はアグリゲータ３から直接インセンティブ等を受け、アグリゲータ３が電力会社１からインセンティブ等を受けていない場合には、各需要家は電力会社１から直接インセンティブ等を受けることになる。
【０１２７】
なお、以上の処理を終えた後は、ステップＳ１０に戻り、上述した処理を繰り返す。
【０１２８】
（７）アグリゲータ３の特徴
（７−１）
本実施形態のアグリゲータ３は、管理対象である各需要家の空気調和装置５の過去の出力レベル履歴情報４４ｃを用いて将来の出力レベルを予測することにより「消費電力量の変動幅」を求めている。そして、アグリゲータ３は、各需要家から報告されたＤＲ予定情報４４ａをそのまま合計してまとめて電力会社１に対して「申告削減量」として申告するのではなく、各需要家から報告されたＤＲ予定情報４４ａの合計から「消費電力量の変動幅」を差し引くことで得られる値を「申告削減量」として電力会社１に申告している。
【０１２９】
このため、アグリゲータ３としては、各需要家から報告されたＤＲ予定情報４４ａの合計から「消費電力量の変動幅」を差し引くことで、各需要家が予定通りの削減を行わないことにより申告削減量通りの削減ができなくなる危険性を小さく抑え、信頼性を高めることができている。しかも、「消費電力量の変動幅」は、各需要家の実際の過去の出力レベルの情報を用いて求められているため、将来の消費電力量の変化をより精度良く予測することが可能になっており、信頼性を維持しつつ、各需要家から報告されたＤＲ予定情報４４ａの合計から差し引かれ過ぎずにできるだけ多くの「申告削減量」を申告することが可能になっている。
【０１３０】
（７−２）
本実施形態のアグリゲータ３は、「消費電力量の変動幅」を予測する際に、各需要家の空気調和装置５の出力レベル履歴情報４４ｃから把握される出力レベルまとめ情報３４ｈを用いるだけでなく、さらに、運転履歴情報４４ｄから把握される運転台数情報３４ｉをさらに用いることで、「消費電力量の変動幅」を予測している。したがって、「消費電力量の変動幅」の予測精度をより高めることが可能になっている。
【０１３１】
さらに、出力レベルの変動幅については、気象情報提供装置９から把握される気象情報の予測情報や各需要家スケジュール情報３４ｂから把握される空気調和装置５の運転内容スケジュール情報に基づいて補正を行い、運転台数の変動幅については、各需要家スケジュール情報３４ｂから把握される各需要家の空気調和装置５の運転予定の情報に基づいて補正を行っている。そして、「消費電力量の変動幅」の予測においては、これらの補正された情報を用いている。したがって、「消費電力量の変動幅」の予測精度をよりいっそう高めることが可能になっている。
【０１３２】
（８）変形例
（８−１）変形例Ａ
上記実施形態では、アグリゲータ３が記憶部３４において各種情報を格納している場合について例に挙げて説明した。
【０１３３】
しかし、例えば、図１３の情報処理システム全体の概略構成図に示すように、当該各種情報を有していないアグリゲータ２０３に対して通信回線を介して通信可能に接続された空調遠隔監視装置２を備え、当該空調遠隔監視装置２が有する記憶部において当該各種情報が格納されていてもよい。そして、アグリゲータ２０３は、通信によって空調遠隔監視装置２から各種情報を取得して、消費電力量の変動幅や申告削減量の算出を行うようにしてもよい。
【０１３４】
（８−２）変形例Ｂ
上記実施形態では、電力会社１からの消費電力量の調整要求を直接受信するアグリゲータ３を例に挙げて説明した。
【０１３５】
しかし、空気調和装置の管理装置としては、上記実施形態のアグリゲータ３に限られず、例えば、図１４の情報処理システム全体の概略構成図に示すように、アグリゲータ３の管理対象の１つとしてのサブアグリゲータ３０３であってもよい。この場合には、サブアグリゲータ３０３は、独自の管理対象として需要家Ｆ〜Ｊ（それぞれ空気調和装置５を有する）を有しており、電力会社１からの消費電力量の調整要求を直接受け付けたアグリゲータ３からの調整要求を受け付けて管理対象である需要家Ｆ〜Ｊにおいて振り分け等の処理を行う。サブアグリゲータ３０３は、自己の管理対象となる各需要家Ｆ〜ＪのＤＲ予定情報やスケジュール情報や出力レベル履歴情報や運転履歴情報等を集めてまとめてアグリゲータ３に送付する。これにより、アグリゲータ３は、サブアグリゲータ３０３の管理対象である需要家Ｆ〜Ｊを、上記実施形態における１人の需要家であるかのように取り扱う。サブアグリゲータ３０３の他の構成は、上記アグリゲータ３と同様であるため、説明を省略する。
【０１３６】
（８−３）変形例Ｃ
上記実施形態では、基準出力レベルＯＳおよび出力レベルの変動幅ＯＬ〜ＯＨを気象情報や空気調和装置５のスケジュール情報に基づいて補正する場合を例に挙げて説明した。
【０１３７】
しかし、基準出力レベルＯＳおよび出力レベルの変動幅ＯＬ〜ＯＨの補正の手法としては、特に限定されず、例えば、各需要家の空気調和装置５の保全情報として例えば製造年月日を示す情報がコントローラ４の記憶部４４に格納されている場合には、アグリゲータ３の制御部３１は通信により当該情報を取得し、各需要家の空気調和装置５の平均製造年月日を求め、当該製造年月日と出力レベルを求める日との乖離度合いが大きいほど、基準出力レベルＯＳおよび出力レベルの変動幅ＯＬ〜ＯＨを増大させるように補正を行ってもよい。
【０１３８】
この場合には、空気調和装置５の経年劣化が出力レベルに与える影響を反映させ（製造年月日から長い時間が経過しているほど、同じ室内温度に制御するために要する消費電力量が大きいことを反映させ）、消費電力量の変動幅をより精度良く求めることが可能になる。
【０１３９】
なお、このような空気調和装置５の保全情報としては、他にも運転時に異常が生じたことの履歴情報等が挙げられる。
【０１４０】
（８−４）変形例Ｄ
上記実施形態では、スケジュール情報４４ｂとしては空気調和装置５を運転させる予定日時や運転させない予定日時の情報が含まれている場合を例に挙げて説明した。
【０１４１】
しかし、スケジュール情報４４ｂとしては、これに限定されるものではなく、例えば、空気調和装置５を運転させる予定日時や運転させない予定日時の情報の代わりに、利用者の空調対象空間（室内）における在不在の予定情報（空気調和装置５の利用者の予定情報）であってもよい。この場合には、例えば、ある日時において空調対象空間に不在であることを示す情報は空気調和装置５を運転させない予定日時の情報に当たるとして上記実施形態と同様に処理することが可能である。
【０１４２】
（８−５）変形例Ｅ
上記実施形態では、消費電力量の変動幅を求める際に、出力レベルの変動幅ＯＬ〜ＯＨだけでなく運転台数の変動幅ＮＬ〜ＮＨを用いた場合を例に挙げて説明した。
【０１４３】
しかし、消費電力量の変動幅の求め方としては、これに限定されるものではなく、例えば、運転台数の変動幅ＮＬ〜ＮＨを用いることなく、出力レベルの変動幅ＯＬ〜ＯＨのみを用いることで求めてもよい。
【０１４４】
この場合には、例えば、アグリゲータ３の制御部３１が、各需要家出力レベル履歴情報３４ｃに基づいて作成する出力レベルまとめ情報３４ｈにおいて、各需要家Ａ〜Ｅの空気調和装置５の過去の出力レベルの情報うち出力レベルがあった情報（出力レベルが０以外の情報：運転があった場合の情報）のみではなく、出力レベルが０であった情報を含む全ての情報を抽出し、当該出力レベルと対応する日時の情報とを対応付けてまとめた情報とする。そして、制御部３１は、このような出力レベルまとめ情報３４ｈについて、上記実施形態のステップＳ１０、Ｓ１１等の処理を行い、ステップＳ１２、Ｓ１３の処理を省略するようにしてもよい。この場合には、例えば、特定される基準出力レベルや出力レベルの変動幅の上限や出力レベルの変動幅の下限から対応する消費電力量の値を把握するための所定の関係式を予めアグリゲータ３の記憶部３４等に記憶させておくようにしてもよい。
【０１４５】
（８−６）変形例Ｆ
上記実施形態では、基準出力レベルＯＳと出力レベルの変動幅の上限ＯＨと出力レベルの変動幅の下限ＯＬおよび基準運転台数ＮＳから基準点ＳＳと上限点ＳＨと下限点ＳＬとを求め、さらに、上限ラインと下限ラインおよび運転台数の変動幅の上限ＮＨと運転台数の変動幅の下限ＮＬから消費電力量の予測値の上限ＰＨと下限ＰＬを求めた場合を例に挙げて説明した。
【０１４６】
これに対して、消費電力量の予測値の上限と下限は、これに限られるものではなく、例えば、基準出力レベルＯＳと出力レベルの変動幅の上限ＯＨと出力レベルの変動幅の下限ＯＬおよび基準運転台数ＮＳから求まる上限点ＳＨと下限点ＳＬについて、上限点ＳＨにおける消費電力量を消費電力量の予測値の上限として用い、下限点ＳＬにおける消費電力量を消費電力の予測値の下限として用いるようにしてもよい。
【０１４７】
（８−７）変形例Ｇ
上記実施形態では、各需要家が１台の運転容量（馬力）の等しい空気調和装置５を有している場合を例に挙げて説明した。
【０１４８】
しかし、アグリゲータ３の管理対象となる空気調和装置としてはこれらに限られず、１人の需要家が複数台の空気調和装置を有していてもよいし、需要家毎に所有している空気調和装置の運転容量（馬力）が異なっていてもよい。また、各需要家は、空気調和装置だけでなく、他の照明機器等の電力消費機器をさらに有しており、これらの消費電力量も合わせて考慮するようにしてもよい。
【０１４９】
なお、各空気調和装置の運転容量（馬力）が異なっている場合には、所定の馬力に換算させた情報を用いることで、上記実施形態と同様に処理することができる。
【符号の説明】
【０１５０】
３    アグリゲータ（管理装置）
５    空気調和装置
３１    制御部（情報取得部、基準出力レベル把握部、出力レベル変動幅把握部、消費電力変動幅予測部、出力レベル変動幅補正部、運転台数予測部、運転台数補正部）
３４ｂ  各需要家スケジュール情報（空気調和装置の運転内容スケジュール情報、空気調和装置の利用スケジュール情報）
３４ｃ  各需要家出力レベル履歴情報（過去の運用情報）
３４ｉ  運転台数情報（台数履歴情報）
４４ｂ  スケジュール情報（空気調和装置の運転内容スケジュール情報、空気調和装置の利用スケジュール情報）
４４ｃ  出力レベル履歴情報（過去の運用情報）
２０３  アグリゲータ（管理装置）
３０３  サブアグリゲータ（管理装置）
【先行技術文献】
【特許文献】
【０１５１】
【特許文献１】国際公開２０１３−０９９３２３号公報
【要約】
【課題】消費電力量の予測の精度を高め、電力供給側の主体からの消費電力量の調整要求に安定的に応じることが可能な複数の空気調和装置の管理装置を提供する。
【解決手段】アグリゲータ３の制御部３１は、各需要家のコントローラ４から出力レベル履歴情報４４ｃを取得して、各需要家の空気調和装置５の所定期間毎における合計の出力レベルの基準である基準出力レベルＯＳを求める。制御部３１は、さらに各需要家の空気調和装置５の所定期間毎における合計の出力レベルの分布に対して所定割合以上が集中している出力レベルの範囲であって基準出力レベルＯＳを含む範囲である出力レベルの変動幅ＯＬ〜ＯＨとして求め、この出力レベルの変動幅ＯＬ〜ＯＨに基づいて消費電力量の変動幅の予測値を求める。
【選択図】図７【図１】
0006004042.tif 000002
【図２】
0006004042.tif 000003
【図３】
0006004042.tif 000004
【図４】
0006004042.tif 000005
【図５】
0006004042.tif 000006
【図６】
0006004042.tif 000007
【図７】
0006004042.tif 000008
【図８】
0006004042.tif 000009
【図９】
0006004042.tif 000010
【図１０】
0006004042.tif 000011
【図１１】
0006004042.tif 000012
【図１２】
0006004042.tif 000013
【図１３】
0006004042.tif 000014
【図１４】
0006004042.tif 000015